(57)【要約】【課題】操作性が良好で使い勝手の良いオーバーヘッドシャワー吐水部，ボデーシャワー吐水部，ハンドシャワー吐水部，カランの各吐水部を備えた縦長のシャワー装置を提供する。【解決手段】シャワー装置１０において、使用者の頭上から下向きにシャワー吐水するオーバーヘッドシャワー吐水部１８、使用者に向け前方にシャワー吐水するボデーシャワー吐水部２０、カラン２２の各吐水部を上から下に順にケース１２に設け、またハンドシャワー吐水部２４をケース１２の側面且つ上下方向中間部に設けるとともに、ケース１２には、オーバーヘッドシャワー吐水部１８用の操作部４４、ボデーシャワー吐水部２０用の操作部４６、ハンドシャワー吐水部２４からの吐水とカラン２２からの吐水との切替及び吐止水を行う操作部５０を上から下へと順に配置するとともに、操作部４６と５０との間の中間位置に、吐水の温度調節用の操作部４８を配置しておく。【選択図】        図１
2009189607.tif 000002
【特許請求の範囲】
【請求項１】
縦長のケースの内側に湯水の混合バルブを備えた水栓機構部を内部配管とともに収納するとともに、該ケースの外側に複数のシャワー吐水部を配置して成るシャワー装置において
前記シャワー吐水部として、使用者の頭上から下向きにシャワー吐水するオーバーヘッドシャワー吐水部を前記ケースの上部に、該使用者の頭部より低い位置で該使用者の身体に向け前方にシャワー吐水するボデーシャワー吐水部を該オーバーヘッドシャワー吐水部の下側の位置で前記ケースに設け、更に該ボデーシャワー吐水部の下側の位置で該ケースの下部にカランを設ける一方、可撓性のシャワーホースに接続された前記シャワー吐水部としてのハンドシャワー吐水部を該ケースの側面且つ上下方向中間部に設けたシャワーフックに着脱可能に掛止させて保持するとともに、
前記ケースには、前記オーバーヘッドシャワー吐水部用の吐止水操作部、前記ボデーシャワー吐水部用の吐止水操作部、前記ハンドシャワー吐水部からの吐水と前記カランからの吐水との切替及び吐止水を行う切替操作部を上から下へと順に配置するとともに、前記ボデーシャワー吐水部用の吐止水操作部と前記切替操作部との間の上下の中間位置に、吐水の温度調節用の温調操作部を配置してあることを特徴とするシャワー装置。
【請求項２】
請求項１において、前記オーバーヘッドシャワー吐水部用の吐止水操作部，前記ボデーシャワー吐水部用の吐止水操作部，前記切替操作部のそれぞれが流量を調節する流調操作部を兼ねていることを特徴とするシャワー装置。
【発明の詳細な説明】
【技術分野】
【０００１】
この発明はシャワー装置に関し、詳しくは縦長のケースの外側に複数のシャワー吐水部を配置して成るシャワー装置に関する。
【背景技術】
【０００２】
従来、縦長のケースの内側に湯水の混合バルブを備えた水栓機構部を内部配管とともに収納するとともに、ケースの外側にオーバーヘッドシャワー吐水部，ボデーシャワー吐水部，ハンドシャワー吐水部及びカランを設けた縦長のシャワー装置が公知である。
【０００３】
このシャワー装置では、オーバーヘッドシャワー吐水部，ボデーシャワー吐水部，ハンドシャワー吐水部，カランの各吐水部に対応した操作部及び吐水の温度調節のための温調操作部を設けておくことが必要である。
【０００４】
しかしながらこのように吐水部としてオーバーヘッドシャワー吐水部，ボデーシャワー吐水部，ハンドシャワー吐水部，カランの４種類の吐水部を備え、また同じシャワー吐水部としてオーバーヘッドシャワー吐水部，ボデーシャワー吐水部，ハンドシャワー吐水部の３種類のシャワー吐水部を備えたシャワー装置にあっては、操作部の配置ないし形態の如何によっては、どの操作部を操作すれば目的とする４種類の吐水部から吐水でき、また温度調節を行うときにはどの操作部を操作すれば良いかが直ちには分らず、従って多くの吐水部を備えることによって利便性が高まる一方で操作の際の判断が難しくなり、操作性が悪化してしまうといった問題を生じ易い。
【０００５】
尚、下記特許文献１にはオーバーヘッドシャワー吐水部，ボデーシャワー吐水部，ハンドシャワー吐水部，カランのそれぞれを備え、更に対応した操作部を備えた縦長のシャワー装置が開示されているが、このものは操作部の配置その他において本発明とは異なった別異のものである。
【０００６】
【特許文献１】特開２００３−２３０４９７号公報
【発明の開示】
【発明が解決しようとする課題】
【０００７】
本発明は以上のような事情を背景とし、操作性が良好で使い勝手の良い、オーバーヘッドシャワー吐水部，ボデーシャワー吐水部，ハンドシャワー吐水部，カランの各吐水部を備えた縦長のシャワー装置を提供することを目的としてなされたものである。
【課題を解決するための手段】
【０００８】
而して請求項１のものは、縦長のケースの内側に湯水の混合バルブを備えた水栓機構部を内部配管とともに収納するとともに、該ケースの外側に複数のシャワー吐水部を配置して成るシャワー装置において、前記シャワー吐水部として、使用者の頭上から下向きにシャワー吐水するオーバーヘッドシャワー吐水部を前記ケースの上部に、該使用者の頭部より低い位置で該使用者の身体に向け前方にシャワー吐水するボデーシャワー吐水部を該オーバーヘッドシャワー吐水部の下側の位置で前記ケースに設け、更に該ボデーシャワー吐水部の下側の位置で該ケースの下部にカランを設ける一方、可撓性のシャワーホースに接続された前記シャワー吐水部としてのハンドシャワー吐水部を該ケースの側面且つ上下方向中間部に設けたシャワーフックに着脱可能に掛止させて保持するとともに、前記ケースには、前記オーバーヘッドシャワー吐水部用の吐止水操作部、前記ボデーシャワー吐水部用の吐止水操作部、前記ハンドシャワー吐水部からの吐水と前記カランからの吐水との切替及び吐止水を行う切替操作部を上から下へと順に配置するとともに、前記ボデーシャワー吐水部用の吐止水操作部と前記切替操作部との間の上下の中間位置に、吐水の温度調節用の温調操作部を配置してあることを特徴とする。
【０００９】
請求項２のものは、請求項１において、前記オーバーヘッドシャワー吐水部用の吐止水操作部，前記ボデーシャワー吐水部用の吐止水操作部，前記切替操作部のそれぞれが流量を調節する流調操作部を兼ねていることを特徴とする。
【発明の作用・効果】
【００１０】
かかる本発明のシャワー装置においては、オーバーヘッドシャワー吐水部，ボデーシャワー吐水部及びカラン用の各操作部が、各吐水部の上下方向の位置関係と同じ位置関係をもって上下に配置してあるため、どのシャワー吐水部或いはカランから吐水させたいときに、どの操作部を操作すれば良いかを使用者が感覚的に直ちに判別でき、従って操作がし易く、シャワー装置の使い勝手が良好である。
【００１１】
また縦長のケースの下部に設けられ、通常座った状態で使用されるカランの操作部（切替操作部）は、上記各操作部の中で最も下側で配置してあるため、かかる操作部を座った状態で使用し易く、また一方、通常立った状態で使用されるオーバーヘッドシャワー吐水部とボデーシャワー吐水部との各操作部については、カラン用の操作部よりも上側に配置してあって立った状態で操作が行い易く、この点においても各操作部の操作性が良好である。
【００１２】
更に使用者が立った状態と座った状態との何れにおいても操作する可能性のある温調操作部については、カラン用の操作部とボデーシャワー吐水部の操作部との間の上下の中間位置に配置してあるため、座った状態で温調操作部を操作する際、或いは立った状態で温調操作部を操作する際、わざわざ座った状態から立ったり或いは立った状態から座ったりしなくても操作することが可能であり、その操作性も良好である。
【００１３】
本発明では、オーバーヘッドシャワー吐水部用の吐止水操作部，ボデーシャワー吐水部用の吐止水操作部，カランとハンドシャワー吐水部とで吐水の切替を行う切替操作部のそれぞれを、流量調節も併せて行い得る操作部となしておくことができる（請求項２）。
このようにすれば、シャワー装置を使用する際の操作性を更に高めることができ、シャワー装置の使い勝手が一層向上する。
【発明を実施するための最良の形態】
【００１４】
次に本発明の実施形態を図面に基づいて詳しく説明する。
図１及び図２において、１０は塔状の縦長のシャワー装置で、図２に示しているように浴室の壁面Ｗに接する状態に浴室内に設置されている。
この実施形態において、シャワー装置１０は縦長の箱体状のケース１２を有している。
【００１５】
ケース１２は、図３及び図１１に示しているように壁面Ｗ側のケース本体１４と前面カバー１６とを有している。
壁面Ｗ側の後側のケース本体１４は、後壁１４Ａと左右一対の側壁１４Ｂとを有する、横断面形状がコ字形状の部材（ここでは金属製）で、前面が室内側に向って開放されており、その前面の開放部が前面カバー１６にて閉じられている。
【００１６】
ケース１２は、その下端から上端までの上下方向寸法が約１７００ｍｍの上下に長いものであり、その下端が図２に示すように床面から所定距離上方に位置する状態で壁面Ｗに固定されている。従ってケース１２の上端は床面からの高さが１７００ｍｍよりも高位置、即ち浴室の天井に近い位置に位置している。
【００１７】
このシャワー装置１０では、前面カバー１６の上端部にオーバーヘッドシャワー吐水部１８が設けられ、また上下中間部にはボデーシャワー吐水部２０が、更にケース１２の下端にはカラン２２が水平方向に回転可能に設けられている。
またケース１２の図中左側の側方には、ハンドシャワー吐水部２４が配置され、かかるハンドシャワー吐水部２４が、可撓性のシャワーホース２６にてケース１２の内側の後述の内部機能部７８に、回転可能なエルボ状の継手４２を介して接続されている。
【００１８】
ここでボデーシャワー吐水部２０は左右に２列に、且つ上下方向に５個所、全体として１０個所に設けられている。
詳しくはこのボデーシャワー吐水部２０は、最上部のボデーシャワー吐水部２０Ａ-１，２０Ｂ-１とその下側のボデーシャワー吐水部２０Ａ-２，２０Ｂ-２、更にその下側のボデーシャワー吐水部２０Ａ-３，２０Ｂ-３，更にその下側のボデーシャワー吐水部２０Ａ-４，２０Ｂ-４及び最下部のボデーシャワー吐水部２０Ａ-５，２０Ｂ-５から成っている。
【００１９】
本実施形態において、ボデーシャワー吐水部２０は、使用者の頭部より低い位置でシャワーをミスト状に使用者のボデーに向って前方に噴射するもので、このうちボデーシャワー吐水部２０Ａ-１，２０Ｂ-１は、使用者の胸部にミスト状のシャワー（ミストシャワー）を噴射する。
またボデーシャワー吐水部２０Ａ-２〜２０Ａ-４，２０Ｂ-２〜２０Ｂ-４は、使用者の腰部を中心として上下の所定範囲に亘ってミストシャワーを噴射するもので、このうちボデーシャワー吐水部２０Ａ-２，２０Ｂ-２は使用者のみぞおちを中心としてその周辺に、ボデーシャワー吐水部２０Ａ-３，２０Ｂ-３は使用者の丁度腰を中心としてその周辺に、更にボデーシャワー吐水部２０Ａ-４，２０Ｂ-４は使用者の太ももを中心としてその周辺にミストシャワーをそれぞれ噴射する。
また最下部のボデーシャワー吐水部２０Ａ-５，２０Ｂ-５は使用者の足元近くにミストシャワーを噴射する。
各ボデーシャワー吐水部２０Ａ-１〜２０Ａ-５及び２０Ｂ-１〜２０Ｂ-５の高さが、それぞれそのように定められている。
【００２０】
ここで最も下側のボデーシャワー吐水部２０Ａ-５，２０Ｂ-５はケース１２の下端から２４０ｍｍの高さの位置に、またその上側のボデーシャワー吐水部２０Ａ-４，２０Ｂ-４はケース１２の下端から５１５ｍｍの高さの位置に、その上側のボデーシャワー吐水部２０Ａ-３，２０Ｂ-３はボデーシャワー吐水部２０Ａ-４，２０Ｂ-４よりも１５０ｍｍ高い位置に、ボデーシャワー吐水部２０Ａ-２，２０Ｂ-２はその下側のボデーシャワー吐水部２０Ａ-３，２０Ｂ-３よりも更に１５０ｍｍ高い位置に、更に最上部のボデーシャワー吐水部２０Ａ-１，２０Ｂ-１は、その下側のボデーシャワー吐水部２０Ａ-２，２０Ｂ-２よりも更に１５０ｍｍ高い位置にそれぞれ配置されている。
尚、設置状態においてケース１２の下端は床面から２６０ｍｍ高い位置に位置している。
【００２１】
他方上記オーバーヘッドシャワー吐水部１８は、ケース１２の下端から１６００ｍｍの高さの位置に配置されている。
このオーバーヘッドシャワー吐水部１８は、使用者に向けて頭上から下向きにシャワー水（ここではミスト状ではない）を噴射するもので、図２に示しているようにケース１２における前面カバー１６から前方にほぼ水平に延び出したパイプ３０と、パイプ３０の先端部に取り付けられた円盤状の散水板を有しており、その散水板に分散状に設けられた多数のシャワー孔３２から斜め下向きにシャワー水を噴射する。
【００２２】
上記カラン２２は、湯と水を所定比率で混合し温度調節した温調水（水だけ又は湯だけの場合も含む）を先端の吐水口３４から１本の整流束として下向きに吐水するもので、その基端において水平方向に回転可能に設けられている。
このカラン２２は、主として使用者が洗い場に座った状態で使用される。
【００２３】
上記ハンドシャワー吐水部２４は、図１に示しているようにグリップ３６とヘッド３８とを有しており、そのヘッド３８には散水板が設けられていて、その散水板に多数のシャワー孔４０が分散状に設けられ、それらシャワー孔４０からシャワー水（ここではミスト状ではない）を噴射する。
このハンドシャワー吐水部２４は、ケース１２の図中左側面に突出状態に設けられたシャワーフック２８に脱着可能に掛止され、保持されている。
【００２４】
ここでシャワーフック２８は、ケース１２の下端から７４０ｍｍの高さに配置されている。
従ってこのハンドシャワー吐水部２４は使用者が座った状態で脱着操作することができる。
尚、上記のボデーシャワー吐水部２０Ａ-１〜２０Ａ-５，２０Ｂ-１〜２０Ｂ-５は、それぞれ使用者が立った状態で上記の身体の各部にミストシャワーを噴射する。即ち各ボデーシャワー吐水部２０Ａ-１〜２０Ａ-５，２０Ｂ-１〜２０Ｂ-５が一斉に使用者の首から下のボデーに対してミストシャワーを噴射する。
【００２５】
即ちボデーシャワー吐水部２０の全体は、使用者が立った状態でシャワーを浴びることを前提として、その高さが設定されている。
尚オーバーヘッドシャワー吐水部１８もまた、使用者が立った状態でシャワーを浴びることを前提として、ケース１２の上端部の位置に設けられている。
【００２６】
前面カバー１６にはまた、図１に示しているように縦一列に合計４つの操作部が設けられている。
詳しくは、上から順にオーバーヘッドシャワー吐水部１８用の操作部（吐止水操作部）４４，ボデーシャワー吐水部２０用の操作部（吐止水操作部）４６，吐水の温度調節用の操作部（温調操作部）４８、及びカラン２２とハンドシャワー吐水部２４とで吐水を切り替えるための操作部（切替操作部）５０が縦一列に設けられている。
これら各操作部４４，４６，４８，５０は回転ハンドル式の操作部とされており、それぞれの外周面には径方向外方に突出した指示部５２，５４，５６，５８が設けられていて、それら指示部５２，５４，５６，５８が操作部周りの表示部のどの位置に位置しているかによって、現在の操作状態が分るようになしてある。
【００２７】
ここでオーバーヘッドシャワー吐水部１８用の操作部４４は、シャワー吐水状態と止水状態及び中間の温度確認位置との３位置に切替操作可能である。
同様にボデーシャワー吐水部２０用の操作部４６もまた、止水位置とシャワー吐水位置と中間の温度確認位置との３位置に切替操作可能である。更にカラン２２とハンドシャワー吐水部２４からの吐水を切替操作する操作部５０は、図１に示しているように止水状態とカラン２２からの吐水、ハンドシャワー吐水部２４からのシャワー吐水の３位置に切替操作可能である。
尚、操作部４４，４６，５０は、それぞれ回転角度に応じて流量を変化させることのできる流調操作部も兼ねている。
【００２８】
この実施形態では、オーバーヘッドシャワー吐水部１８に対応した操作部４４，ボデーシャワー吐水部２０に対応した操作部４６，カラン２２に対応した操作部５０が、それらオーバーヘッドシャワー吐水部１８，ボデーシャワー吐水部２０，カラン２２の上下方向の位置関係と同じ位置関係をもって、上から下に順に配置されている。
【００２９】
またオーバーヘッドシャワー吐水部１８，ボデーシャワー吐水部２０は使用者が立った状態で使用されることから、これに対応した操作部４４，４６は、使用者が立った状態で容易に操作できる高さ位置に配置されている。
一方カラン２２用の操作部５０は、カラン２２が座った姿勢で使用されることから、使用者が座った状態で容易に操作できる高さ位置に配置されている。
【００３０】
詳しくは、操作部５０はケース１２の下端から５９０ｍｍの高さの位置に配置されており、また操作部４６はケース１２の下端から８９０ｍｍの高さの位置に配置され、更に最も上側の操作部４４はその下側の操作部４６よりも更に１５０ｍｍ高い位置に、即ちケース１２の下端から１０４０ｍｍの高さの位置に配置されている。
【００３１】
一方温度調節を行う操作部４８は、使用者が立った状態でも、また座った状態でも操作される可能性のあるものであり、そこでこの温調用の操作部４８については、使用者が座った状態で操作する最も下側の操作部５０と、立った状態で使用する操作部４６及び４４との間の中間の高さの位置に配置されている。
【００３２】
詳しくはこの温度調節用の操作部４８は、最も下側の操作部５０よりも１５０ｍｍ高い位置、即ちケース１２の下端から７４０ｍｍの高さの位置に配置されている。
尚本実施形態において、各操作部４４，４６，４８，５０は、それぞれ上下方向に等間隔で配置されている。
【００３３】
図１〜図３に示しているように、前面カバー１６はその下端側の一部が、前面カバー１６の大部分をなすカバー本体６０と別体且つ脱着可能な蓋体６２とされており、この蓋体６２が取り外されることで前面に部分開口６４が形成されるようになっている。
また前面カバー１６詳しくはカバー本体６０には、図２及び図３に示しているように操作部４４，４６，４８，５０に対応した円形の貫通の開口６８，７０，７２，７４が縦一列に設けられており、更にボデーシャワー吐水部２０Ａ-１，２０Ａ-２，２０Ａ-３，２０Ａ-４，２０Ａ-５及び２０Ｂ-１，２０Ｂ-２，２０Ｂ-３，２０Ｂ-４，２０Ｂ-５にそれぞれ対応した貫通の円形の開口６６Ａ-１，６６Ａ-２，６６Ａ-３，６６Ａ-４，６６Ａ-５及び６６Ｂ-１，６６Ｂ-２，６６Ｂ-３，６６Ｂ-４，６６Ｂ-５がそれぞれ設けられている。
【００３４】
尚この前面カバー１６と対をなす後側のケース本体１４には、図３，図８，図９，図１１に示しているように一対の側壁１４Ｂに沿って縦方向に連続した内向きの鍔状部８０が設けられている。
また図３に示しているように後壁１４Ａの上部、詳しくは後述の水栓機構部７６よりも上側の上部において、一対の掛止開口８２，８４が後壁１４Ａを前後方向に貫通する状態で上，下に部分的に設けられている。更に後壁１４Ａの下端部には貫通の開口８６が設けられている。
【００３５】
これら前面カバー１６とケース本体１４とを有するケース１２の内部には、水栓機構部７６を有する内部機能部７８が収納されている。
ここで内部機能部７８は予め組み付けられた状態、即ち予備組付状態で、ユニットとしてケース１２の内部に納められ、且つケース１２に固定されている。
【００３６】
上記水栓機構部７６は、オーバーヘッドシャワー吐水部１８用の切替バルブ９０，ボデーシャワー吐水部２０用の切替バルブ９２，湯水の混合バルブ８８，カラン２２からの吐水とハンドシャワー吐水部２４からのシャワー吐水との切替用の切替バルブ９４（各切替バルブ９０，９２，９４は流調バルブとしての機能も有する）及び後に詳述する冷水排水弁９６を有しており、それらが図６，図７，図８及び図１０に示す一体構成の金属製のブラケット９８に固定され、かかるブラケット９８がケース１２に固定されることで、水栓機構部７６の全体がケース１２に一体に固定されている。
【００３７】
ブラケット９８にはまた、ボデーシャワー吐水部２０Ａ-１〜２０Ａ-４及び２０Ｂ-１〜２０Ｂ-４も併せて固定されており、それらがブラケット９８を介してケース１２、詳しくはケース１２におけるケース本体１４に固定されている。
一方最下部の足元用のボデーシャワー吐水部２０Ａ-５，２０Ｂ-５については、ブラケット９８とは別体をなす平板状のブラケット１００に固定され、かかるブラケット１００を介してケース１２におけるケース本体１４に固定されている。
【００３８】
更にオーバーヘッドシャワー吐水部１８に向けて給水を行う給水路上の継手１０２が、ブラケット９８とは別体をなす平板状のブラケット１０４に固定され、かかるブラケット１０４を介してケース１２におけるケース本体１４に固定されている。
即ちこの実施形態では、図３に示す内部機能部７８の全体が予め予備組付けされた状態で即ちユニットの状態で、これらブラケット９８，１００，１０４にてケース１２におけるケース本体１４に固定されている。
【００３９】
図８及び図９には、それらブラケット９８，１００，１０４のケース本体１４への固定構造が具体的に示してある（但し図では内部機能部７８が図示省略してある）。
これらの図に示しているように、ブラケット９８，１００，１０４のそれぞれには、貫通の締結孔１０６が設けられており、それら締結孔１０６に固定具としての固定ねじ、詳しくはここではビス１０８を挿通し、ケース本体１４の鍔状部８０に設けた固定孔としての雌ねじ孔１１０に、それらをねじ込むことでブラケット９８，１００，１０４のそれぞれがケース本体１４に締結固定されている。
【００４０】
即ちこのようにしてブラケット９８，１００，１０４をケース本体１４に締結固定することで、内部機能部７８の全体が予備組付品即ちユニットの状態で、ケース本体１４に固定される。
尚、図１１に示しているようにケース本体１４の上壁１４Ｃは後壁１４Ａ，側壁１４Ｂとは別体に構成されていて、ビス１１２にて後壁１４Ａ及び側壁１４Ｂに固定されている。
詳しくは、図１１に示しているようにビス１１２を上壁１４Ｃの締結孔１１４に下向きに挿通した上、それらを後壁１４Ａ，側壁１４Ｂに沿って縦向きに設けた補強リブ１１６の上端部にねじ込むことで、かかる上壁１４Ｃが後壁１４Ａ及び側壁１４Ｂに締結固定されている。
【００４１】
図４に上記の内部機能部７８の構成が、ボデーシャワー吐水部２０，オーバーヘッドシャワー吐水部１８，ハンドシャワー吐水部２４，カラン２２等とともに系統的な図として示してある。
図において、Ａ１，Ａ２は壁裏の給水元管Ｐ１，給湯元管Ｐ２に止水栓１１８を介して接続された内部給水用，給湯用の各配管で、端部が湯水の混合バルブ８８に接続され、かかる混合バルブ８８に対して水，湯が配管Ａ１，Ａ２を通じてそれぞれ供給される。
【００４２】
混合バルブ８８は、供給された水と湯とを図１の操作部４８の操作に応じて所定比率で混合し、適温の温調水（温度調節された湯）とする。
混合バルブ８８からの温調水は配管Ｂ，オーバーヘッドシャワー吐水部１８用の切替バルブ９０、更に配管Ｊを経由してオーバーヘッドシャワー吐水部１８へと送られ、シャワー孔３２からシャワー吐水される。
【００４３】
この実施形態では、切替バルブ９０がシャワー吐水位置にあるときには、配管Ｂと配管Ｊとが連通状態となって、混合バルブ８８からの温調水がシャワーヘッド吐水部１８へと送られ、そこからシャワー吐水される。
一方切替バルブ９０が止水位置にあるときには、配管Ｂと配管Ｊが遮断状態となり、混合バルブ８８からの温調水はオーバーヘッドシャワー吐水部１８へと供給されない。
【００４４】
一方、切替バルブ９０における図１の指示部５２が上向き位置にあるとき、即ち温度確認位置にあるときには、配管Ｂは配管Ｊと遮断状態とされる一方で、配管Ｅと連通状態となり、混合バルブ８８からの水が配管Ｅに分岐させられる。
配管Ｅに分岐した水は、冷水排水弁９６を経てカラン２２に送られ、カラン２２から下向きに吐水される。
尚このとき、配管Ｊ内の水もまた配管Ｃを通じて冷水排水弁９６から配管Ｄ側へと排水され、そして配管Ｄを経由してカラン２２の吐水口３４から下向きに吐水される。
【００４５】
この実施形態において、配管Ｅ，配管Ｃ及び冷水排水弁９６は次のような意味を有している。
シャワー装置１０を一定時間使用しなかった状態で使用開始するとき、給湯器等の給湯源から延び出した給湯元管Ｐ２内の水は冷却状態即ち冷水の状態にある。
またオーバーヘッドシャワー吐水部１８側の配管Ｊ内の水もまた、長時間の放置による冷却によって冷水状態にある。
従ってこの状態で切替バルブ９０を操作してオーバーヘッドシャワー吐水部１８から吐水開始したときに、配管Ｊ内の冷水（配管内残水）及び配管Ｐ２内の冷水（配管内冷水）がシャワー吐水されてしまう。
【００４６】
そこでこの実施形態では、操作部４４を温度確認位置に位置させることで、配管Ｂと配管Ｅとを先ず連通状態とする。
この状態では、混合バルブ８８からの水は配管Ｂから配管Ｅへと分岐して流れ、そして配管Ｅからの流れによって冷水排水弁９６が開弁し、配管Ｅを通じて流れて来た冷水を配管Ｆ，カラン２２を経て外部に排出する。
尚、冷水排水弁９６が開弁すると、このとき同時に配管Ｃと配管Ｄとが連通状態となり、オーバーヘッドシャワー吐水部１８側の配管Ｊ内に残っている冷たい残水が配管Ｃ，冷水排水弁９６，配管Ｄを流れてカラン２２から外部に排出される。
そして冷水状態の配管内冷水及び残水が排出され、混合バルブ８８から温かい温調水が送り出されたところで、切替バルブ９０をシャワー吐水位置に切替操作することで、オーバーヘッドシャワー吐水部１８から温調水をシャワー吐水することができるのである。
【００４７】
図５は、冷水排水弁９６の構成をその作用とともに示したもので、図示のようにこの冷水排水弁９６は、バルブボデー１２０内部に弁体１２１を有している。
弁体１２１は、第１弁部１２２と、第２弁部１２４と、それらを連結する連結軸１２６を有しており、弁体１２１の図中上向きの移動により第１弁部１２２，第２弁部１２４が対応する各第１弁座１２８，第２弁座１３０から上向きに離間して開弁する。
そして第１弁部１２２の開弁により、流路１３２と１３４とが連通状態となり、また第２弁部１２４の開弁により流路１３６と１３８とが連通状態となる。
この冷水排水弁９６は、配管Ｅを通じて流路１３２内に混合バルブ８８からの水が図中上向きに流れ込むと、ダイヤフラム弁から成る第１弁部１２２がその給水の圧力により開弁し、配管Ｅを通じて流れて来た冷たい水を、流路１３２から流路１３４へと流通させる。流路１３４へと流れ込んだ水は、その後配管Ｆ内へと流通する。
【００４８】
この第１弁部１２２の開弁時にはまた、第２弁部１３０も開弁動作し、そして第２弁部１３０の開弁によって、流路１３６と流路１３８とが連通状態となる。
そしてそれら流路１３６と１３８との連通によって、配管Ｃを通じ、配管Ｊ内の冷たい残水が冷水排水弁９６へと流れ込み、そして流れ込んだ残水が、流路１３８から配管Ｄへと流通して、最終的にカラン２２から外部に排出される。
尚、弁体１２１はコイルばね１４０にて常時閉弁状態に付勢されており、配管Ｅを通じて冷水排水弁９６に給水圧が導かれていないときには閉弁状態を保っている。
【００４９】
混合バルブ８８からの温調水はまた、図４に示すように配管Ｂ，ボデーシャワー吐水部２０用の切替バルブ９２を経て配管Ｉ１，Ｉ２へと導かれ、各ボデーシャワー吐水部２０Ａ-１〜２０Ａ-５及び２０Ｂ-１〜２０Ｂ-５からミスト状のシャワーとしてシャワー吐水される。
詳しくは、ボデーシャワー吐水部２０用の操作部４６をシャワー吐水位置に位置させておくと、切替バルブ９２が配管Ｂと配管Ｉ１，Ｉ２とを連通状態として、混合バルブ８８からの温調水が配管Ｉ１，Ｉ２へと導かれ、これら配管Ｉ１，Ｉ２と連通状態にある各ボデーシャワー吐水部２０Ａ-１〜２０Ａ-５及び２０Ｂ-１〜２０Ｂ-５からシャワー吐水される。
また一方操作部４６を止水位置に切り替えると、配管Ｂと配管Ｉ１，Ｉ２とは遮断状態となって、ボデーシャワー吐水部２０からのシャワー吐水が停止される。
【００５０】
この実施形態では、図１に示すようにボデーシャワー吐水部２０用の操作部４６もまた、温度確認位置へと切替操作可能であり、その切替操作を行ったとき、切替バルブ９２が図４の配管Ｂと配管Ｋとを連通状態とする。
このとき、配管Ｂは配管Ｋを通じて上記の配管Ｅと連通状態となり、従ってこの状態では混合バルブ８８からの冷水が、配管Ｋを経由して配管Ｅへと流れ込み、上記したのと同様にして冷水排水弁９６を経て外部に排出される。
【００５１】
配管Ｂにはまた、切替バルブ９４を介してハンドシャワー吐水部２４に連通した配管Ｇと、カラン２２に連通した配管Ｈとが接続されている。
そして操作部５０を操作して切替バルブ９４を切替動作させ、配管Ｂと配管Ｇとを連通させることで、混合バルブ８８からの温調水がハンドシャワー吐水部２４へと導かれ、シャワー孔４０からシャワー吐水される。
一方、切替バルブ９４を配管Ｂと配管Ｈとを連通させる状態に切り替えると、混合バルブ８８からの温調水が配管Ｂから配管Ｈへと流れ、カラン２２の吐水口３４から下向きに吐水される。
【００５２】
図６及び図７に、図４に示した各配管が切替バルブ９０，９２，９４，混合バルブ８８等とともに実際の配管状態で表してある。
これらの図に示しているように、本実施形態のシャワー装置１０の場合、多くの配管が複雑に錯綜した状態で各バルブとともに一体に繋がった上記の内部機能部７８を構成している。
【００５３】
図８において、ケース１２における前面カバー１６は、図３の内部機能部７８をケース本体１４に固定した後に、ケース本体１４に固定され、そしてその後において図１の操作部４４，４６，４８，５０の組付けが行われ、またオーバーヘッドシャワー吐水部１８，ボデーシャワー吐水部２０の前面カバー１６への固定が行われる。
【００５４】
図１２及び図１３に操作部４４〜５０の取付構造が、また図１４〜図１６にボデーシャワー吐水部２０の前面カバー１６への固定構造がボデーシャワー吐水部２０の構造とともに示してある。更に図１７，図１８にオーバーヘッドシャワー吐水部１８の前面カバー１６への固定構造が示してある。
前面カバー１６は、これら操作部４４〜５０，ボデーシャワー吐水部２０及びオーバーヘッドシャワー吐水部１８の組付けによって、同時にケース本体１４に対して固定状態とされる。
以下その詳細を各図に基いて具体的に説明する。
【００５５】
先ず図１２（Ａ）及び図１３において、前面カバー１６は、径方向の外向き及び内向きの各フランジ部１４２，１４３を備えたリング状のスペーサ部材１４４を介してブラケット９８に当接させられ、そしてその状態で、径方向外向きのフランジ部１４６を有する固定リング１４８が切替バルブ９０，９２，９４のそれぞれのバルブボデー１５０にねじ込まれることで、かかるブラケット９８を介しケース本体１４に固定される。
【００５６】
詳しくは、バルブボデー１５０の雄ねじ部１５４に対して、固定リング１４８の雌ねじ部１５２を螺合し、更に固定リング１４８をねじ込むことで、前面カバー１６が、スペーサ部材１４４のフランジ部１４２と固定リング１４８のフランジ部１４６とにより内外両側から挟持される状態に、ブラケット９８を介しケース本体１４に、各操作部４４，４６，５０の個所において固定される。
【００５７】
回転ハンドル式の操作部４４，４６，５０は円筒形状の内筒部１５５を有しており、その内筒部１５５が、外周面と内周面とにセレーション部を有するダブルセレーションリング１５６を介して、スピンドル１５８に一体回転状態に連結され、更にはそのスピンドル１５８を介して弁体１６０に一体回転状態に連結されている。
【００５８】
ここでダブルセレーションリング１５６は、外周面のセレーション部を、操作部４４，４６，５０の内筒部１５５の内周面のセレーション部にセレーション結合させ、また内周面のセレーション部を、スピンドル１５８の外周面のセレーション部にセレーション結合させ、それらのセレーション結合に基いて、スピンドル１５８を操作部４４と一体に回転させる。
操作部４４，４６，５０はまた、固定ビス１６２によってスピンドル１５８にねじ固定され、図中左方向に抜け防止されている。
【００５９】
図１２（Ｂ）に示しているように、温度調節用の操作部４８の取付構造もまた、基本的に操作部４４，４６，５０の取付構造と同様である。
尚図１２（Ａ），（Ｂ）に示しているように切替バルブ９０，９２，９４、混合バルブ８８の各バルブボデー１５０は、ビス３２０にてブラケット９８に締結固定されている。
【００６０】
図１４及び図１５は、ボデーシャワー吐水部２０Ａ-１，２０Ｂ-１の要部の構成を、前面カバー１６への固定構造とともに示している。
図に示しているように、ボデーシャワー吐水部２０Ａ-１，２０Ｂ-１は、ノズルボデー１６４に一体に構成されたハウジング本体１６６と、これに螺合されたキャップ１６８とからなるノズルハウジング１７０によって、ノズル１７２の球面状をなす嵌合部１７４を三次元方向に回転可能に嵌合し、保持している。
【００６１】
ノズル１７２の内部は、ノズルハウジング１７０の内部に連通しており、送られてきた温調水が、ノズル１７２の内部を通って先端のノズル孔１７６から噴射される。
このノズル１７２の内部には、ノズル１７２内部を通る水の流れに旋回流を発生させる旋回部１７８が設けられており、この旋回部１７８の作用によって、ノズル孔１７６からの噴射水がノズル孔１７６を出たところで広角度に拡散せしめられ、その作用によって噴射水がミスト状のシャワーとなる。
【００６２】
１８０は、径方向外向きのフランジ部１８２を有するノズル用の固定リングで、内周面に雌ねじ部１８４を有しており、固定リング１８０をこの雌ねじ部１８４においてノズルハウジング１７０のキャップ１６８の外周面の雄ねじ部１８６に螺合し且つねじ込むことで、ボデーシャワー吐水部２０Ａ-１，２０Ｂ-１が前面カバー１６に固定され、また同時に前面カバー１６がボデーシャワー吐水部２０Ａ-１，２０Ｂ-１の個所で、ブラケット９８を介しケース本体１４に固定される。
尚、ボデーシャワー吐水部２０Ａ-５，２０Ｂ-５の構成及び前面カバー１６への固定構造もまた、基本的に図１４に示すのと同様である。
ボデーシャワー吐水部２０Ａ-１，２０Ｂ-１，２０Ａ-５，２０Ｂ-５用の固定リング１８０には、内周側にテーパ面１８８が設けられていて、そのテーパ面１８８の周方向２個所に係合溝１９０が形成され、その係合溝１９０に板状の工具１９２（図１５（Ｂ）参照）の係合部１９４を係合させ、その状態で工具１９２を回転させることで固定リング１８０を脱着できるようになしてある。
【００６３】
図１６は、ボデーシャワー吐水部２０Ａ-２〜２０Ａ-４，２０Ｂ-２〜２０Ｂ-４の要部構造を、前面カバー１６への固定構造とともに具体的に示したものである。
図において、１９８はボデーシャワー吐水部２０Ａ-２〜２０Ａ-４，２０Ｂ-１〜２０Ｂ-４のノズルで、ここではノズル１９８は、ノズルボデー２００のノズルハウジング２０２に固定状態に保持されている。即ちノズルの向きが一定の固定状態で保持されている。
但しノズル１９８を含むボデーシャワー吐水部２０Ａ-２〜２０Ａ-４，２０Ｂ-２〜２０Ｂ-４の前面カバー１６への固定構造は、基本的に図１４及び図１５に示したのと同様である。
【００６４】
即ち各ボデーシャワー吐水部２０Ａ-２〜２０Ａ-４，２０Ｂ-２〜２０Ｂ-４は、外向きのフランジ部２０４を有する固定リング２０６を、ノズルハウジング２０２にねじ込むことで前面カバー１６に固定され、また同時に前面カバー１６がボデーシャワー吐水部２０Ａ-２〜２０Ｂ-４の個所で、ブラケット９８を介しケース本体１４に固定されている。
尚この固定リング２０６においても、内周側にテーパ面１８８が設けられていて、そのテーパ面１８８の周方向の１８０°隔たった２個所に上記の係合溝１９０が形成され、この係合溝１９０において専用の工具１９２を用い、固定リング２０６を回転操作し、脱着可能となしてある。
尚、図１４〜１６において、３２４はノズルボデー１６４をブラケット９８に締結固定しているビスである。
【００６５】
図１７及び図１８は、オーバーヘッドシャワー吐水部１８の取付構造を具体的に示している。
図中１０２は、オーバーヘッドシャワー吐水部１８用の継手で、この継手１０２はビス１０８にて前述したブラケット１０４に固定され、かかるブラケット１０４を介してケース本体１４に固定されている。
継手１０２は、前面カバー１６に形成された貫通の開口２０８を通過して図中左側、即ち前面カバー１６の前側に突出せしめられている。
【００６６】
この継手１０２の突出部分の外周面には、図１８（Ｂ）に詳しく示しているように雄ねじ部２１０が形成されている。またその端面には、周方向に１８０°隔たった２個所に、オーバーヘッドシャワー吐水部１８におけるパイプ３０の回転方向の位置決突起２１２が設けられている。
【００６７】
一方パイプ３０側には、図１７（Ｂ）及び図１８（Ａ）に示しているように、雄嵌合面２１４が設けられていて、その雄嵌合面２１４にシールリングとしてのＯリング２１６が保持されている。
ここではその雄嵌合面２１４を、継手１０２の雌嵌合面２１８にＯリング２１６を介して嵌合させることで、パイプ３０が継手１０２に水密に接続される。
【００６８】
一方パイプ３０の側には、雄嵌合面２１４の図中左側の位置に径方向外向きのフランジ部２１９が設けられている。またそのフランジ部２１９には、上記の位置決突起２１２に対応する周方向の２個所において、切落し形状の位置決用の係合面２２０が形成されている。
パイプ３０は、この係合面２２０を位置決突起２１２に係合させるようにして、雄嵌合面２１４を継手１０２の雌嵌合面２１８に嵌入させることで、Ｏリング２１６を介し水密に継手１０２に接合される。
【００６９】
その状態で、内周側に雌ねじ部２２２及び内向きのフランジ部２２４を有する袋ナット２２６を、雌ねじ部２２２において継手１０２の雄ねじ部２１０にねじ込み、そして図１７（Ｂ）に示しているように袋ナット２２６の内向きのフランジ部２２４を、パイプ３０の外向きのフランジ部２１９に係合させることで、パイプ３０と継手１０２とが軸方向に締結される。
【００７０】
図１７（Ａ）及び図１８（Ａ）において、２２８はパイプ３０と継手１０２との連結部分を外側から覆う、化粧リングを兼ねたパイプ３０の前面カバー１６への固定用の固定リングで、径方向内向きのフランジ部２３０を有しており、そのフランジ２３０の内周面に雌ねじ部２３２が設けられている。
一方パイプ３０には、フランジ部２１９の図中左側位置に雄ねじ部２３４が設けられている。
【００７１】
この実施形態では、固定リング２２８の雌ねじ部２３２をパイプ３０側の雄ねじ部２３４に螺合し、更にその状態で固定リング２２８を図中右向きにねじ込んで、図中右端を前面カバー１６に当接させ、強く締め付けることでパイプ３０が、即ちオーバーヘッドシャワー吐水部１８が前面カバー１６に固定され、また同時に前面カバー１６がブラケット１０４を介してケース本体１４に固定される。
【００７２】
図１９，図２０及び図２１に、図１に示す前面カバー１６の一部をなす下端部の蓋体６２の脱着構造が具体的に示してある。
図３にも示しているように、蓋体６２の裏面（内面）には、その下部に下向きの一対のフック形状の掛止部２５０が設けられており、またその上端部には上向きの一対の掛止部２５２が上向きに突出する形状で設けてある。
ここで上向きの一対の掛止部２５２は、縦のリブ２５４のそれぞれの上端部に一体に構成してある。
【００７３】
一方ケース１２、詳しくはケース本体１４の底壁１４Ｄには、図２０に示しているように、カラン２２用の継手２５６を挿通する開口２５８が設けられるとともに、その上面には左右一対のガイド部材２６０が立設されている。
これらガイド部材２６０は、一対の側壁２６２と、内壁２６４とを有する横断面形状がコ字形状の部材で、その内壁２６４に上下に長い長孔状のガイド孔２７４が設けられ、また下端部には折曲げ形状の固定部２６６が設けられている。
【００７４】
そしてこれらガイド部材２６０は、底壁１４Ｄの下側から締結孔２６８を通じて上向きに差し込まれたボルト２７０とナット２７２とによって、固定部２６６において底壁１４Ｄの上面にそれぞれ固定されている。
これらガイド部材２６０の側壁２６２と内壁２６４とで囲まれた空間には、金属製のコイルばね２７６が収容されている。そしてそれらコイルばね２７６の上端部に、掛止バー２８４の両端部に固定される端部部材２７８がそれぞれ装着されている。
これら端部部材２７８は、コイルばね２７６への下向きの挿入部２８０（図２１参照）と、掛止バー２８４を挿通させる貫通の挿通孔２８２とを有している。
【００７５】
掛止バー２８４は、蓋体６２の上記下向きの掛止部２５０を掛止させる部材で、両端側が端部部材２７８の挿通孔２８２に挿通され、そして端部部材２７８のそれぞれの外側で、図２０に示しているように掛止バー２８４に形成された環状溝２８８に弾性止め輪２９０が嵌込装着されることで、かかる掛止バー２８４が一対の端部部材２７８に対して軸方向に位置決めされ、且つそれら端部部材２７８から抜け防止されている。
【００７６】
尚、掛止バー２８４は一対のガイド部材２６０のガイド孔２７４を挿通した状態に組み付けられており、その状態において掛止バー２８４にはコイルばね２７６の上向きの付勢力が常時作用している。
従って蓋体６２を取り外した状態の下では、図２３（Ｂ）に示しているように掛止バー２８４は、ガイド孔２７４の上端に当接した状態にある。
【００７７】
上記蓋体６２は、下部の下向きの一対の掛止部２５０を掛止バー２８４に掛止させ、また上端部の上向きの一対の掛止部２５２を、前面カバー１６におけるカバー本体６０の下端部裏面に掛止させる状態に保持される。
このとき蓋体６２に対しては一対のコイルばね２７６による上向きの付勢力が掛止バー２８４を介して作用しており、従って蓋体６２は、一対のコイルばね２７６の付勢力に基いてその上端をカバー本体６０の下端に当接させ、密着させた状態に保持されている。
この状態で蓋体６２は、次のようにして簡単にこれを取り外すことができる。
【００７８】
即ち、蓋体６２を一対のコイルばね２７６の上向きの付勢力に抗して下向きに押し下げる。これにより一対の上向きの掛止部２５２の、カバー本体６０に対する掛止が外れるから、そこで図１９（Ｉ）に示しているように蓋体６２の上端部がカバー本体６０から室内側に離れる方向に蓋体６２を傾斜させ、その状態で蓋体６２全体を上向きに持ち上げることで、蓋体６２を簡単に取付状態から外すことができる。
そしてこの蓋体６２を外すことによって、前面カバー１６の下端部に部分開口６４が生じる。
【００７９】
本実施形態では、ケース１２に内部機能部７８を組み込み、そしてケース１２におけるケース本体１４と前面カバー１６とを組付け固定した状態の下で、シャワー装置１０を壁面Ｗに取付施工する。
詳しくは、図２，図２２に示しているように壁面Ｗにバックハンガーブラケット２３６，２３８を、ケース本体１４の後壁１４Ａに形成した上下一対の掛止開口８２，８４に対応する高さ位置に固定ねじ２４０等によって予め固定しておき、そしてシャワー装置１０におけるケース本体１４の後壁１４Ａの掛止開口８２，８４に、バックハンガーブラケット２３６，２３８の壁面Ｗから突出した形状の掛止凸部２４４を挿入させる状態に、ケース１２をそれら掛止開口８２，８４においてバックハンガーブラケット２３６，２３８に掛止する。
そしてそれらバックハンガーブラケット２３６，２３８にてシャワー装置１０の重量を支持させた状態とする。
【００８０】
尚一対のバックハンガーブラケット２３６，２３８は、壁面Ｗに密着状態で固定される、掛止開口８２，８４に対応した幅の板状の固定部２４６と、その上端から斜め上向きに固定部２４６と同幅で突出した掛止凸部２４４と、掛止凸部２４４及び固定部２４６を幅方向両端で連結する板状の補強部２４２とを有する形態をなしている。
図２３（Ａ）は、そのバックハンガーブラケット２３６にケース本体１４の後壁１４Ａが掛止されることで、シャワー装置１０の重量が支持された状態を表している。
【００８１】
尚、このときケース１２の前面カバー１６に操作部４４〜５０を予め設けておいても良いし、またシャワー装置１０を壁面Ｗに固定した後において、前面カバー１６に操作部４４〜５０を設けるようにしても良い。
また同様にオーバーヘッドシャワー吐水部１８や、ハンドシャワー吐水部２４，カラン２２等を予め取り付けておいても良いし、或いはシャワー装置１０を壁面Ｗに固定した後において、それらを取り付けるようになしても良い。
【００８２】
さてこのようにしてシャワー装置１０におけるケース１２をバックハンガーブラケット２３６，２３８に掛止して重量を支持させた後、予め蓋体６２の取外しによって生じている部分開口６４を通じて、図２３（Ｂ）に示しているようにケース本体１４の後壁１４Ａに設けてある固定孔２９２に固定ねじ２９４を挿通し、且つそれらを壁面Ｗにねじ込むことで、ケース１２を壁面Ｗに固定する。ここにおいてケース１２を壁面Ｗに取付状態となすことができる。
【００８３】
尚この実施形態では、部分開口６４を通じてケース本体１４の後壁１４Ａを壁面Ｗに固定するのと併せて、その部分開口６４を通じて、図１９の給水元管Ｐ１，給湯元管Ｐ２と配管Ａ１，Ａ２とを継手２９６（図１９参照）を介して接続作業する。
また同じ部分開口６４を作業開口として止水栓１１８を操作し、水量調節を行う。
そのような作業を終えた後に再び蓋体６２を装着し、部分開口６４を閉鎖する。
【００８４】
このとき、蓋体６２は次のようにして簡単に装着することができる。
即ち、蓋体６２の下向きの一対の掛止部２５０を、図２０及び図２３（Ｂ）の掛止バー２８４に掛止させ、そして図１９（Ｉ）に示しているように蓋体６２に下向きの力を加えて一対のコイルばね２７６を撓ませながら蓋体６２を下向きに押し、その状態で蓋体６２の上端部をケース内方向に押し込み、一対の上向きの掛止部２５２をカバー本体６０の裏面側に位置させる。
【００８５】
その状態で蓋体６２に加えていた下向きの押込力を除くと、図１９（II）に示しているように蓋体６２が一対のコイルばね２７６の付勢力によって上向きに押し上げられ、一対の上向きの掛止部２５２がカバー本体６０の下端部裏面に掛止するとともに、蓋体６２の上端がカバー本体６０の下端に密着状態に当接した状態となる。
ここにおいて蓋体６２が、カバー本体６０と一体の外観を有する前面カバー１６の一部となって、カバー本体６０とともにケース本体１４の前面の開放部全体を閉鎖した状態となる。
【００８６】
以上のような本実施形態においては、オーバーヘッドシャワー吐水部１８，ボデーシャワー吐水部２０，カラン２２用の各操作部４４，４６，５０が各吐水部の上下方向の位置関係と同じ位置関係をもって上下に配置してあるため、それらのどのシャワー吐水部或いはカランから吐水させたいときに、どの操作部を操作すれば良いかを使用者は感覚的に直ちに判別でき、従って操作がし易く、シャワー装置１０の使い勝手が良好である。
【００８７】
また縦長のケース１２の下部に設けられ、座った状態で使用されるカラン２２の操作部（切替操作部）５０は、座った状態で容易に操作できる低い位置に、また一方、立った状態で使用されるオーバーヘッドシャワー吐水部１８とボデーシャワー吐水部２０との各操作部４４，４６については、立った状態で容易に操作できる高い位置にそれぞれ配置してあるため、この点においても各操作部４４，４６，５０の操作性が良好である。
【００８８】
更に使用者が立った状態と座った状態との何れにおいても操作する可能性のある温調用の操作部４８については、カラン用の操作部５０とシャワー吐水部の操作部４４，４６との間の上下の中間位置で且つ座った状態と立った状態の何れでも操作可能な高さの位置に配置してあるため、座った状態で温調操作部４８を操作する際、或いは立った状態で温調操作部４８を操作する際、わざわざ座った状態から立ったり或いは立った状態から座ったりしなくても操作することが可能であり、その操作性も良好である。
【００８９】
本実施形態では、オーバーヘッドシャワー吐水部１８用の操作部４４，ボデーシャワー吐水部２０用の操作部４６，カラン２２とハンドシャワー吐水部２４とで吐水の切替を行う切替操作部５０のそれぞれが流量調節も併せて行い得る操作部となしてあり、シャワー装置１０を使用する際の操作性を更に高めることができ、シャワー装置１０の使い勝手が一層向上する。
【００９０】
以上本発明の実施形態を詳述したがこれはあくまで一例示である。
例えば上記実施形態ではボデーシャワー吐水部からミストシャワーを噴射するようになしているが、このボデーシャワー吐水部からミストシャワーでない通常の直水流のシャワー水を噴射するようになすことも可能である等、本発明はその趣旨を逸脱しない範囲において種々変更を加えた形態で構成可能である。
【図面の簡単な説明】
【００９１】
【図１】本発明の一実施形態のシャワー装置の正面図である。
【図２】同実施形態のシャワー装置を壁面に設置した状態で示した断面図である。
【図３】同実施形態のシャワー装置を分解して示した図である。
【図４】同実施形態における配管経路を系統的に示した図である。
【図５】同実施形態における冷水排水弁の構成をその作用とともに示した断面図である。
【図６】同実施形態における実際の配管状態を表した図である。
【図７】図６（Ｂ）を拡大した図である。
【図８】同実施形態におけるブラケットのケース本体への固定構造を示した図である。
【図９】同実施形態におけるブラケットのケース本体への固定構造を拡大して示した図である。
【図１０】同実施形態におけるブラケットを示した図である。
【図１１】同実施形態におけるケース本体の上壁を分解して示した図である。
【図１２】同実施形態における操作部の要部の構成を示した部分断面図である。
【図１３】図１２の操作部と前面カバーとを分解して示した図である。
【図１４】同実施形態におけるボデーシャワー吐水部の要部の構成を示した部分断面図である。
【図１５】図１４のボデーシャワー吐水部と前面カバーとを分解して示した図である。
【図１６】図１４とは異なるボデーシャワー吐水部の要部の構成を示した部分断面図である。
【図１７】同実施形態におけるオーバーヘッドシャワー吐水部の要部の構成を示した部分断面図である。
【図１８】図１７のオーバーヘッドシャワー吐水部を分解して示した図である。
【図１９】同実施形態における蓋体の脱着構造を示した図である。
【図２０】図１９の蓋体の脱着構造を分解して示した図である。
【図２１】図１９の蓋体の脱着構造の要部を示した部分断面図である。
【図２２】同実施形態のシャワー装置の壁面への取付構造を示した図である。
【図２３】同実施形態のシャワー装置の壁面への取付構造の要部を拡大して示した図である。
【符号の説明】
【００９２】
１０  シャワー装置
１２  ケース
１８  オーバーヘッドシャワー吐水部
２０  ボデーシャワー吐水部
２２  カラン
２４  ハンドシャワー吐水部
２６  シャワーホース
２８  シャワーフック
４４  操作部（吐止水操作部）
４６  操作部（吐止水操作部）
４８  操作部（温調操作部）
５０  操作部（切替操作部）
７６  水栓機構部
８８  混合バルブ
【図１】
2009189607.tif 000003
【図２】
2009189607.tif 000004
【図３】
2009189607.tif 000005
【図４】
2009189607.tif 000006
【図５】
2009189607.tif 000007
【図６】
2009189607.tif 000008
【図７】
2009189607.tif 000009
【図８】
2009189607.tif 000010
【図９】
2009189607.tif 000011
【図１０】
2009189607.tif 000012
【図１１】
2009189607.tif 000013
【図１２】
2009189607.tif 000014
【図１３】
2009189607.tif 000015
【図１４】
2009189607.tif 000016
【図１５】
2009189607.tif 000017
【図１６】
2009189607.tif 000018
【図１７】
2009189607.tif 000019
【図１８】
2009189607.tif 000020
【図１９】
2009189607.tif 000021
【図２０】
2009189607.tif 000022
【図２１】
2009189607.tif 000023
【図２２】
2009189607.tif 000024
【図２３】
2009189607.tif 000025